(57)【特許請求の範囲】
【請求項１】
コンセント装置と制御装置とを有する消費電力計測システムであって、
前記コンセント装置は、
需要家内の負荷が接続され、接続された負荷への給電を行う給電部と、
前記給電部から負荷へ流れる電流量を検出する検出部と、
前記検出部によって検出された電流量から周波数パターンを得る解析部と、
前記検出部によって検出された電流量に応じて、負荷単位での消費電力量を計測する計測部と、
を備え、
前記制御装置は、
負荷毎の周波数パターンを、負荷を識別するための負荷識別情報と対応付けて記憶する第１記憶部と、
前記解析部によって得られた周波数パターンに対応する負荷識別情報を前記第１記憶部から検索する検索部と、
を備え、
前記検索部は、前記解析部によって得られた周波数パターンに対応する負荷識別情報が前記第１記憶部から検索されない場合には、当該周波数パターン又は当該周波数パターンに相当する情報を前記第１記憶部と異なる外部装置に送信するとともに、当該外部装置から対応する負荷識別情報を受信し、
前記解析部によって得られた周波数パターン及び前記計測部によって得られた消費電力量は、所定周期で前記制御装置に送信される消費電力計測システム。
【請求項２】
前記解析部は、前記検出部によって検出された電流量の時間波形を周波数領域に変換することで周波数パターンを得る請求項１に記載の消費電力計測システム。
【請求項３】
前記計測部によって計測された消費電力量と、前記検索部によって検索された負荷識別情報あるいは前記外部装置から取得した負荷識別情報と、現在時刻を示す時間情報とを対応付けて記憶する第２記憶部とを備える請求項２に記載の消費電力計測システム。
【請求項４】
前記第２記憶部が記憶する消費電力量、負荷識別情報、及び時間情報を対応付けて表示させるよう制御する表示制御部を備える請求項３に記載の消費電力計測システム。
【請求項５】
前記第１記憶部及び前記検索部は、前記需要家内の制御装置に設けられる請求項２〜４の何れか一項に記載の消費電力計測システム。
【請求項６】
需要家に設けられるコンセント装置と、前記需要家内での電力制御を行う制御装置とを備える消費電力計測システムにおける消費電力計測方法であって、
前記コンセント装置が、前記コンセント装置に接続された負荷への給電を行うステップと、
前記コンセント装置が、前記コンセント装置から負荷へ流れる電流量を検出するステップと、
前記コンセント装置が、前記検出するステップによって検出された電流量から周波数パターンを得るステップと、
前記コンセント装置が、前記検出するステップによって検出された電流量に応じて、負荷単位での消費電力量を計測するステップと、
負荷毎の周波数パターンを、負荷を識別するための負荷識別情報と対応付けて、前記制御装置において記憶するステップと、
前記周波数パターンを得るステップによって得られた周波数パターンに対応する負荷識別情報を、前記制御装置において検索するステップと、
を備え、
前記検索するステップにおいて、前記周波数パターンを得るステップによって得られた周波数パターンに対応する負荷識別情報が前記制御装置において検索されない場合には、当該周波数パターン又は当該周波数パターンに相当する情報を、前記制御装置から前記制御装置と異なる外部装置に送信するとともに、前記制御装置において、当該外部装置から対応する負荷識別情報を受信し、
前記周波数パターンを得るステップによって得られた周波数パターン及び前記計測するステップによって得られた消費電力量は、所定周期で前記制御装置に送信される消費電力計測方法。
【発明の詳細な説明】
【技術分野】
【０００１】
本発明は、消費電力量を計測するための消費電力計測システム、コンセント装置、制御装置、計測装置、及び消費電力計測方法に関する。
【背景技術】
【０００２】
地球環境問題への意識の高まりから、太陽光発電（ＰＶ）等の再生可能エネルギーの導入が進められている。発電量が気象条件で変動するＰＶ等が電力系統へ大量に連系されると、電力系統の安定供給に悪影響を与えるという課題がある。当該課題を解決するために、情報通信技術を使用し、需要家を取り込んで効率的に電力を制御する「スマートグリッド技術」が注目されている。
【０００３】
スマートグリッド技術においては、効率的に電力を制御するために、電力の需要家（以下、単に需要家という）に係る消費電力量を計測することが重要になる。消費電力量を計測する消費電力計測システムとしては、需要家内の分電盤に電流センサを設け、当該電流センサを用いて需要家の消費電力量を計測する構成が知られている（例えば、特許文献１参照）。分電盤は、需要家内の配線網において電力系統からの幹線と分岐線との分岐点に設けられる。
【先行技術文献】
【特許文献】
【０００４】
【特許文献１】特開平１１−３１３４４１号公報
【発明の概要】
【発明が解決しようとする課題】
【０００５】
しかしながら、従来の消費電力計測システムは、複数の負荷（機器）に供給される電流を電流センサがまとめて検出してしまい、分電盤を流れる電流が需要家内のどの負荷に供給されるかを判別することが困難である。
【０００６】
従って、従来の消費電力計測システムは、需要家単位での消費電力量を計測できるものの、需要家内の負荷単位での消費電力量を計測することが難しいという問題があった。
【０００７】
そこで、本発明は、負荷毎の消費電力量を容易に計測できる消費電力計測システム、コンセント装置、制御装置、計測装置、及び消費電力計測方法を提供することを目的とする。
【課題を解決するための手段】
【０００８】
上述した課題を解決するために、本発明は以下のような特徴を有している。まず、本発明の第１の特徴は、需要家（需要家１）に設けられるコンセント装置（コンセント装置１００）と、前記需要家に係る消費電力量を計測する計測部（消費電力量計測部１２２）とを備え、前記コンセント装置は、前記需要家内の負荷（負荷５０）が接続され、接続された負荷への給電を行う給電部（給電部１０１）と、前記給電部から負荷へ流れる電流量を検出する検出部（センサ回路１１０）とを備え、前記計測部は、前記検出部によって検出された電流量に応じて、負荷単位での消費電力量を計測することを要旨とする。
【０００９】
このような特徴によれば、コンセント装置から負荷へ流れる電流量を直接的に検出し、当該電流量に応じて消費電力量を計測しているため、需要家単位での消費電力量ではなく、負荷単位での消費電力量を容易に計測することができる。
【００１０】
本発明の第２の特徴は、本発明の第１の特徴に係り、前記検出部によって検出された電流量の時間波形を周波数領域に変換することで周波数パターンを得る解析部（周波数解析部１２２）と、負荷毎の周波数パターンを、負荷を識別するための負荷識別情報と対応付けて記憶する第１記憶部（識別情報記憶部２４１）と、前記解析部によって得られた周波数パターンに対応する負荷識別情報を前記第１記憶部から検索する検索部（識別情報検索部２３１）とを備えることを要旨とする。
【００１１】
本発明の第３の特徴は、本発明の第２の特徴に係り、前記計測部によって計測された消費電力量と、前記検索部によって検索された負荷識別情報と、現在時刻を示す時間情報とを対応付けて記憶する第２記憶部（消費電力量記憶部２４２）を備えることを要旨とする。
【００１２】
本発明の第４の特徴は、本発明の第３の特徴に係り、前記第２記憶部が記憶する消費電力量、負荷識別情報、及び時間情報を対応付けて表示させるよう制御する表示制御部（表示制御部２３３）を備えることを要旨とする。
【００１３】
本発明の第５の特徴は、本発明の第２〜第４の何れかの特徴に係り、前記第１記憶部及び前記検索部は、前記需要家内の制御装置（制御装置２００）に設けられ、前記検索部は、前記解析部によって得られた周波数パターンに対応する負荷識別情報が前記第１記憶部から検索されない場合に、前記解析部によって得られた周波数パターンに対応する負荷識別情報の検索を前記制御装置の外部の装置（サーバ装置３００）に依頼することを要旨とする。
【００１４】
本発明の第６の特徴は、需要家に設けられるコンセント装置であって、前記需要家内の負荷が接続され、接続された負荷への給電を行う給電部と、前記給電部から負荷へ流れる電流量を検出する検出部と、前記検出部によって検出された電流量に応じて、負荷単位での消費電力量を計測する計測部とを備えることを要旨とする。
【００１５】
本発明の第７の特徴は、本発明の第６の特徴に係り、前記検出部によって検出された電流量の時間波形を周波数領域に変換することで周波数パターンを得る解析部を備えることを要旨とする。
【００１６】
本発明の第８の特徴は、コンセント装置から負荷へ流れる電流量の時間波形を周波数領域に変換することで周波数パターンを得る解析部と、負荷毎の周波数パターンを、負荷を識別するための負荷識別情報と対応付けて記憶する第１記憶部と、前記解析部によって得られた周波数パターンに対応する負荷識別情報を前記第１記憶部から検索する検索部とを備える制御装置であることを要旨とする。
【００１７】
本発明の第９の特徴は、コンセント装置に接続可能な計測装置（計測装置５００）であって、前記需要家内の負荷が接続され、接続された負荷への給電を行う給電部と、前記給電部から負荷へ流れる電流量を検出する検出部と、前記検出部によって検出された電流量に応じて、負荷単位での消費電力量を計測する計測部と、前記検出部によって検出された電流量の時間波形を周波数領域に変換することで周波数パターンを得る解析部とを備えることを要旨とする。
【００１８】
本発明の第１０の特徴は、需要家に設けられるコンセント装置が、前記コンセント装置から負荷への給電を行うステップと、前記コンセント装置が、前記コンセント装置から負荷へ流れる電流量を検出するステップと、前記検出するステップによって検出された電流量に応じて、負荷単位での消費電力量を計測するステップとを備える消費電力計測方法であることを要旨とする。
【発明の効果】
【００１９】
本発明によれば、負荷毎の消費電力量を容易に計測できる消費電力計測システム、コンセント装置、制御装置、計測装置、及び消費電力計測方法を提供できる。
【図面の簡単な説明】
【００２０】
【図１】本発明の実施形態に係る消費電力計測システムの概略構成を示す図である。
【図２】本発明の実施形態に係るコンセント装置の概略構成を説明するための図である。
【図３】本発明の実施形態に係るコンセント装置の詳細構成を示すブロック図である。
【図４】本発明の実施形態に係る周波数解析処理を説明するための図である。
【図５】本発明の実施形態に係る制御装置の詳細構成を示すブロック図である。
【図６】本発明の実施形態に係るコンセント装置の動作を示すフローチャートである。
【図７】本発明の実施形態に係る制御装置の動作を示すフローチャートである。
【図８】本発明の実施形態の本変更例に係る制御装置の構成を示すブロック図である。
【図９】本発明の実施形態の本変更例に係る計測装置の構成を示す図である。
【発明を実施するための形態】
【００２１】
次に、図面を参照して、本発明の消費電力計測システムの実施形態を説明する。具体的には、（１）消費電力計測システムの概略構成、（２）消費電力計測システムの詳細構成、（３）消費電力計測システムの動作、（４）実施形態の効果、（５）変更例１、（６）変更例２、（７）その他の実施形態について説明する。
【００２２】
以下の実施形態における図面の記載において、同一又は類似の部分には同一又は類似の符号を付している。
【００２３】
（１）消費電力計測システムの概略構成
先ず、図１及び図２を参照して、本実施形態に係る消費電力計測システムの概略構成について説明する。図１は、本実施形態に係る消費電力計測システムの概略構成を示す図である。
【００２４】
図１に示すように、需要家１には、電力系統２から交流の電力が供給される。需要家１は、太陽電池５１、蓄電池５２、系統連系装置５３、分電盤５４、負荷５０ａ，５０ｂ…、コンセント装置１００ａ，１００ｂ…、及び制御装置２００を有する。
【００２５】
太陽電池５１は、太陽光を受光し、受光した太陽光に応じて直流の電力を発生させる。蓄電池５２は、太陽電池５１が発電した電力及び電力系統２から供給される電力を蓄積する。
【００２６】
系統連系装置５３は、交流と直流との変換を行う。具体的には、系統連系装置５３は、太陽電池５１及び蓄電池５２からの直流の電力を交流に変換して電力系統２へ連系する。
【００２７】
分電盤５４は、系統連系装置５３及び電力系統２からの交流の電力をコンセント装置１００ａ，１００ｂ…を介して負荷５０ａ，５０ｂ…に分配する。
【００２８】
負荷５０ａ，５０ｂ…は、電力を消費する機器、例えば家電機器である。コンセント装置１００ａ，１００ｂ…は、負荷５０ａ，５０ｂ…が接続され、負荷５０ａ，５０ｂ…に電力を供給する。以下においては、負荷５０ａ，５０ｂ…の何れか１つを適宜「負荷５０」と称する。また、コンセント装置１００ａ，１００ｂ…の何れか１つを適宜「コンセント装置１００」と称する。
【００２９】
制御装置２００は、需要家１内での電力制御を行う。制御装置２００は、コンセント装置１００及び系統連系装置５３との通信を行う。当該通信は、無線通信であってもよく、有線通信であってもよい。無線通信の場合には、例えば、家電向けの短距離無線通信規格の１つであるＺｉｇｂｅｅを使用できる。有線通信の場合には、例えば、電力線を通信回線として利用する技術であるＰＬＣ（Power Line Communications）を使用できる。
【００３０】
制御装置２００は、広域通信網３（例えば、インターネット）を介してサーバ装置３００との通信を行うことができる。サーバ装置３００は、例えば電力制御用の情報を制御装置２００に提供する。
【００３１】
図２は、コンセント装置１００の概略構成を説明するための図である。
【００３２】
コンセント装置１００は、例えば需要家１内の壁面に設けられる。図２に示すように、コンセント装置１００は、給電部１０１ａ，１０１ｂを有する。図２の例では、２つの給電部１０１ａ，１０１ｂを例示しているが、給電部の数は１つであってもよく、３つ以上であってもよい。以下においては、給電部１０１ａ，１０１ｂの何れか１つを適宜「給電部１０１」と称する。コンセント装置１００は、給電部１０１に接続される負荷５０の消費電力量を計測し、計測した消費電力量を制御装置２００に通知する。
【００３３】
（２）消費電力計測システムの詳細構成
次に、図３〜図５を参照して、消費電力計測システムの詳細構成について説明する。具体的には、（２．１）コンセント装置の詳細構成、（２．２）制御装置の詳細構成について説明する。
【００３４】
（２．１）コンセント装置の詳細構成
図３は、コンセント装置１００の詳細構成を示すブロック図である。
【００３５】
図３に示すように、コンセント装置１００は、給電部１０１ａ，１０１ｂ、受電部１０２、フィルタ１０４，１０５、コイル１１１，１１２、センサ回路１１０、制御部１２０、及び宅内通信部１３０を有する。
【００３６】
受電部１０２は、分電盤５４から交流の電力を受電する。フィルタ１０４，１０５は、受電部１０２が受電した電力に含まれるノイズ成分を除去する。
【００３７】
給電部１０１ａ，１０１ｂのそれぞれには、異なる負荷５０が接続される。給電部１０１ａ，１０１ｂのそれぞれは、負荷５０への給電を行う。
【００３８】
コイル１１１は、給電部１０１ａに接続された負荷５０へ流れる電流量を検出する。具体的には、コイル１１１は、給電部１０１ａに接続された負荷５０へ流れる電流量に比例した電流を出力する。同様にして、コイル１１２は、給電部１０１ｂに接続された負荷５０へ流れる電流量を検出する。
【００３９】
センサ回路１１０には、コイル１１１，１１２から電流が入力される。センサ回路１１０は、給電部１０１ａ，１０１ｂのそれぞれに接続された負荷５０へ流れる電流量を示すセンサ信号を生成し、当該センサ信号を制御部１２０に入力する。また、センサ回路１１０は、給電部１０１ａ，１０１ｂと受電部１０２との間に設けられた電源回路１５０からの電力によって作動する。
【００４０】
制御部１２０は、例えばマイクロコンピュータを用いて構成され、コンセント装置１００に係る制御を行う。制御部１２０は、消費電力量計測部１２１及び周波数解析部１２２を有する。
【００４１】
消費電力量計測部１２１は、センサ回路１１０からのセンサ信号に応じて、給電部１０１ａ，１０１ｂのそれぞれに接続された負荷５０毎の消費電力量を計測する。消費電力量計測部１２１は、センサ信号が示す電流量と電源回路１５０における電圧とから消費電力量を計測（算出）できる。
【００４２】
周波数解析部１２２は、図４に示すように、センサ回路１１０からのセンサ信号に応じて、給電部１０１ａ，１０１ｂのそれぞれに接続された負荷５０毎の消費電流量の時間波形を周波数領域に変換することで周波数パターンを得る。周波数解析部１２２は、センサ信号をＡ／Ｄ変換した上でＦＦＴ（Fast Fourier Transform）処理し、周波数波形を導出する。
【００４３】
消費電力量計測部１２１が計測した消費電力量、及び周波数解析部１２２によって得られた周波数パターンは、所定の時間間隔（例えば1〜60分毎）で宅内通信部１３０から制御装置２００に送信される。なお、宅内通信部１３０の通信方式は、独自方式でもよく、ECHONET(Energy Conservation and Homecare Network)に準拠した方式でもよい。
【００４４】
（２．２）制御装置の詳細構成
図５は、制御装置２００の詳細構成を示すブロック図である。
【００４５】
図５に示すように、制御装置２００は、宅内通信部２１０、広域通信部２２０、制御部２３０、記憶部２４０、表示部２５０、及び入力部２６０を有する。
【００４６】
宅内通信部２１０は、コンセント装置１００及び系統連系装置５３との通信を行う。上記のように、宅内通信部２１０の通信方式は、独自方式でもよく、ECHONETに準拠した方式でもよい。広域通信部２２０は、広域通信網３を介してサーバ装置３００との通信を行う。
【００４７】
制御部２３０は、例えばＣＰＵを用いて構成され、制御装置２００に係る制御を行う。記憶部２４０は、例えば半導体メモリ又はハードディスク装置を用いて構成され、制御部２３０が行う制御に係る情報を記憶する。
【００４８】
表示部２５０は、制御部２３０の制御下で画像の表示を行う。入力部２６０は、ユーザからの入力を受け付ける。なお、表示部２５０及び入力部２６０は、制御部２３０及び記憶部２４０が収納される筐体とは別の筐体に収納されていてもよい。すなわち、表示部２５０及び入力部２６０は、リモコンとして構成されていてもよい。また、表示部２５０及び入力部２６０は、一体化されて、タッチパネルとして構成されていてもよい。
【００４９】
制御部２３０は、識別情報検索部２３１、消費電力量管理部２３２、及び表示制御部２３３を有する。記憶部２４０は、識別情報記憶部２４１及び消費電力量記憶部２４２を有する。
【００５０】
識別情報記憶部２４１は、負荷５０毎の周波数パターンを、負荷５０を識別するための負荷識別情報と対応付けて記憶する。負荷識別情報とは、負荷（機器）の名称、型番、又は種別等の情報である。例えば、ユーザが、あらかじめ代表的な負荷の周波数パターンを当該負荷の負荷識別情報と共に識別情報記憶部２４１に登録しておく構成としてもよい。
【００５１】
識別情報検索部２３１は、宅内通信部２１０がコンセント装置１００から受信した周波数パターンに対応する負荷識別情報を識別情報記憶部２４１から検索する。具体的には、識別情報検索部２３１は、コンセント装置１００から受信した周波数パターンと、識別情報記憶部２４１が記憶する各周波数パターンとのパターンマッチングを行い、コンセント装置１００から受信した周波数パターンとの一致度が最も高い周波数パターンに対応する負荷識別情報を識別情報記憶部２４１から取得する。このような処理により、例えば部屋から部屋へ負荷が持ち運ばれるような場合でも、制御装置２００側で当該負荷を判別できる。
【００５２】
消費電力量管理部２３２は、宅内通信部２１０がコンセント装置１００から受信した消費電力量と、識別情報検索部２３１によって検索された負荷識別情報と、現在時刻を示す時間情報とを対応付けて消費電力量記憶部２４２に記憶させる。すなわち、消費電力量管理部２３２は、負荷毎の消費電力量のログを作成する。
【００５３】
表示制御部２３３は、ユーザからの指定に応じた表示を表示部２５０に実行させる。表示制御部２３３は、消費電力量記憶部２４２が記憶するログの集計を行った上で表示部２５０にグラフを表示させて、消費電力量の所謂「見える化」を実現する。
【００５４】
例えば、一日の各時間帯について、負荷の種別毎の消費電力量をグラフ化して、各時間帯でどれだけ電力が消費されているかをユーザが容易に判別できるようにする。
【００５５】
上記の例では、識別情報検索部２３１が、宅内通信部２１０がコンセント装置１００から受信した周波数パターンに対応する負荷識別情報を識別情報記憶部２４１から検索できるものとして説明したが、新規の負荷（機器）がコンセント装置１００に接続された場合に対応できない。
【００５６】
新規の負荷が接続され、識別情報検索部２３１が未知の周波数パターンを検出した場合には、制御装置２００の入力部２６０に対してユーザが負荷識別情報を入力することで、それ以降は当該周波数パターンを判別可能となる。その際、表示制御部２３３は、負荷識別情報の入力をユーザに促すための表示を表示部２５０に行わせてもよい。
【００５７】
あるいは、新規の負荷が接続され、識別情報検索部２３１が未知の周波数パターンを検出した場合には、識別情報検索部２３１は、当該未知の周波数パターンに対応する負荷識別情報の検索をサーバ装置３００に依頼してもよい。その際、識別情報検索部２３１は、当該未知の周波数パターン、又は、当該周波数パターンに相当する情報（例えば消費電流波形）を広域通信部２２０からサーバ装置３００に送信させる。サーバ装置３００は、周波数パターンのデータべースを有しており、制御装置２００からの依頼に応じて負荷識別情報を検索し、検索結果を制御装置２００に送信する。消費電力量管理部２３２は、サーバ装置３００から受信した負荷識別情報を記憶部２４０に記憶させる。このような処理により、ユーザ入力を行わなくても自動的に負荷識別情報を設定可能である。
【００５８】
（３）消費電力計測システムの動作
次に、図６及び図７を参照して、消費電力計測システムの動作について説明する。具体的には、（３．１）コンセント装置の動作、（３．２）制御装置の動作について説明する。
【００５９】
（３．１）コンセント装置の動作
図６は、コンセント装置１００の動作を示すフローチャートである。
【００６０】
ステップＳ１０１において、消費電力量計測部１２１は、センサ回路１１０からのセンサ信号に応じて、給電部１０１に接続された負荷５０毎の消費電力量を計測する。
【００６１】
ステップＳ１０２において、周波数解析部１２２は、センサ回路１１０からのセンサ信号に応じて、給電部１０１に接続された負荷５０毎の消費電流量の時間波形を周波数領域に変換することで周波数パターンを得る。
【００６２】
ステップＳ１０３において、宅内通信部１３０は、消費電力量計測部１２１が計測した消費電力量、及び周波数解析部１２２によって得られた周波数パターンを所定の時間間隔で制御装置２００に送信する。
【００６３】
（３．２）制御装置の動作
図７は、制御装置２００の動作を示すフローチャートである。
【００６４】
ステップＳ２０１において、宅内通信部２１０は、消費電力量及び周波数パターンをコンセント装置１００から受信する。
【００６５】
ステップＳ２０２において、識別情報検索部２３１は、宅内通信部２１０がコンセント装置１００から受信した周波数パターンに対応する負荷識別情報を識別情報記憶部２４１から検索する。コンセント装置１００から受信した周波数パターンに対応する負荷識別情報が検索された場合（ステップＳ２０３；ＹＥＳ）には処理がステップＳ２０５に進み、検索されない場合（ステップＳ２０３；ＮＯ）には処理がステップＳ２０４に進む。
【００６６】
ステップＳ２０５において、消費電力量管理部２３２は、宅内通信部２１０がコンセント装置１００から受信した消費電力量と、識別情報検索部２３１によって検索された負荷識別情報と、現在時刻を示す時間情報とを対応付けて消費電力量記憶部２４２に記憶させる。
【００６７】
ステップＳ２０４において、表示制御部２３３は、未知の周波数パターンに対応する負荷識別情報の入力をユーザに促すための表示を表示部２５０に行わせる。あるいは、識別情報検索部２３１は、未知の周波数パターンに対応する負荷識別情報の検索をサーバ装置３００に依頼する。そのようにして取得された負荷識別情報は、当該未知の周波数パターンと対応付けられて識別情報記憶部２４１に記憶される。
【００６８】
（４）実施形態の効果
以上説明したように、本実施形態では、コンセント装置１００から負荷５０へ流れる電流量をセンサ回路１１０が直接的に検出し、当該電流量に応じて消費電力量を計測しているため、需要家単位での消費電力量ではなく、負荷単位での消費電力量を容易に計測することができる。
【００６９】
本実施形態では、識別情報検索部２３１が、周波数解析部１２２によって得られた周波数パターンに対応する負荷識別情報を識別情報記憶部２４１から検索することにより、負荷５０の属性（名称、型番、種別等）を自動的に判別することができる。
【００７０】
本実施形態では、消費電力量記憶部２４２は、消費電力量計測部１２２によって計測された消費電力量と、識別情報検索部２３１によって検索された負荷識別情報と、現在時刻を示す時間情報とを対応付けて記憶する。これにより、負荷の属性毎の消費電力量の推移を記録しておくことができる。
【００７１】
本実施形態では、表示制御部２３３は、第２記憶部が記憶する消費電力量、負荷識別情報、及び時間情報を対応付けて表示させるよう制御する。このような表示制御により、負荷の属性毎の消費電力量の推移をユーザに確認させることができる。
【００７２】
本実施形態では、識別情報検索部２３１は、周波数解析部１２２によって得られた周波数パターンに対応する負荷識別情報が識別情報記憶部２４１から検索されない場合に、周波数解析部１２２によって得られた周波数パターンに対応する負荷識別情報の検索をサーバ装置３００に依頼する。これにより、制御装置２００にとって未知の負荷がコンセント装置１００に接続された場合でも、当該負荷の属性を判別可能になる。
【００７３】
（５）変更例１
上述した実施形態では、コンセント装置１００側で周波数解析処理を行っていたが、コンセント装置１００から制御装置２００へセンサ信号を通知し、制御装置２００側で周波数解析処理を行ってもよい。具体的には、コンセント装置１００の宅内通信部１３０は、周波数解析期間にのみ、Ａ／Ｄ変換後のセンサ信号を制御装置２００に送信する。
【００７４】
また、実施形態では、コンセント装置１００側で消費電力量の計測を行っていたが、コンセント装置１００から制御装置２００へセンサ信号を通知し、制御装置２００側で消費電力量の計測を行ってもよい。
【００７５】
図８は、本変更例に係る制御装置２００の構成を示すブロック図である。図８に示すように、制御装置２００は、消費電力量の計測を行う消費電力量計測部２３４と、周波数解析を行う周波数解析部２３５とを有する。その他の構成については、上述した実施形態と同様である。
【００７６】
（６）変更例２
上述した実施形態では、コンセント装置１００が消費電力量の計測及び周波数解析を行っていたが、図９に示すように、コンセント装置１００に接続可能な計測装置５００が消費電力量の計測及び周波数解析を行ってもよい。計測装置５００は、負荷５０が接続される給電部５０１を有する。計測装置５００は、図３と同様の内部構成を有する。
【００７７】
（７）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７８】
例えば、上述した実施形態では、計測される消費電力量を表示する構成を例示したが、計測される消費電力量は、表示用途に限らず、既存の様々な電力制御（例えば、負荷５０の消費電力制御や蓄電池５２の充放電制御等）に使用可能である。
【００７９】
また、サーバ装置３００は、上述した実施形態に加えて、次のような機能を有していてもよい。具体的には、サーバ装置３００は、複数の需要家それぞれが有する負荷（機器）の情報を管理し、広告サービスや機器メンテナンス等のサービスに利用してもよい。
【００８０】
なお、上述した実施形態では、直流電源の例として太陽電池５１を挙げたが、太陽電池５１に限らず、燃料電池等を使用してもよい。
【００８１】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００８２】
１…需要家、２…電力系統、３…広域通信網、５０…負荷、５１…太陽電池、５２…蓄電池、５３…系統連系装置、５４…分電盤、１００…コンセント装置、１０１…給電部、１０２…受電部、１０４，１０５…フィルタ、１１０…センサ回路、１１１，１１２…コイル、１２０…制御部、１２１…消費電力量計測部、１２２…周波数解析部、１３０…宅内通信部、２００…制御装置、２１０…宅内通信部、２２０…広域通信部、２３０…制御部、２３１…識別情報検索部、２３２…消費電力量管理部、２３３…表示制御部、２３４…消費電力量計測部、２３５…周波数解析部、２４０…記憶部、２４１…識別情報記憶部、２４２…消費電力量記憶部、２５０…表示部、２６０…入力部、３００…サーバ装置、５００…計測装置
【図１】
0005604089.tif 000002
【図２】
0005604089.tif 000003
【図３】
0005604089.tif 000004
【図４】
0005604089.tif 000005
【図５】
0005604089.tif 000006
【図６】
0005604089.tif 000007
【図７】
0005604089.tif 000008
【図８】
0005604089.tif 000009
【図９】
0005604089.tif 000010